(57)【要約】      （修正有）【課題】作業者の疲労度を低減し、安全性の高い橋梁点検装置を提供する。【解決手段】橋梁点検装置Ａは、装置本体１０と点検器具２０とモニター３０とからなり、装置本体１０は、２本の垂直支柱１１、１２と、垂直支柱を掛け渡して設置した水平ロッド１３とを備え、点検器具２０は、操作棒２１と、その先端に取り付けた撮影機２２とを備える。装置本体の水平ロッド１３に点検器具２０の操作棒２１が垂直方向に取り付けられ、モニター３０と撮影機２２とは通信ケーブル３１で接続される。【選択図】図３
0003194401.tif 000002
【実用新案登録請求の範囲】
【請求項１】
装置本体と点検器具とモニターとからなり、
装置本体は、２本の垂直支柱と、垂直支柱を掛け渡して設置した水平ロッドとを備え、
点検器具は、操作棒と、その先端に取り付けた撮影機とを備え、
装置本体における水平ロッドに点検器具における操作棒が垂直方向に取り付けられ、
モニターと撮影機とを接続する通信ケーブルを備えてなる
ことを特徴とする橋梁点検装置。
【請求項２】
装置本体は、前記２本の垂直支柱を設置する台車を備えてなる
ことを特徴とする請求項１に記載の橋梁点検装置。
【請求項３】
装置本体における２本の垂直支柱が伸縮自在である
ことを特徴とする請求項１又は２に記載の橋梁点検装置。
【請求項４】
装置本体における水平ロッドが伸縮自在である
ことを特徴とする請求項１〜３のいずれか１項に記載の橋梁点検装置。
【請求項５】
モニターを装置本体に取り付けてなる
ことを特徴とする請求項１〜４のいずれか１項に記載の橋梁点検装置。
【請求項６】
装置本体と点検器具とを落下防止ケーブルにて連結してなる
ことを特徴とする請求項１〜５のいずれか１項に記載の橋梁点検装置。
【請求項７】
点検器具は、撮影機の撮影方向を照射する照明装置を備えてなる
ことを特徴とする請求項１〜６のいずれか１項に記載の橋梁点検装置。
【請求項８】
点検器具は、操作棒が伸縮自在であり、その先端に遠隔操作により屈曲自在なフレキシブル管を介して撮影機を取り付けてなる
ことを特徴とする請求項１〜７のいずれか１項に記載の橋梁点検装置。
【考案の詳細な説明】
【技術分野】
【０００１】
本考案は、橋梁に配置されている配管等の状況を点検する橋梁点検装置に関し、特に橋上からは直接目視して点検することが困難な橋梁の側面に配置されている配管等の状況を撮影機等により撮影して点検する橋梁点検装置に関する。
【背景技術】
【０００２】
従来より、橋梁の下方から橋梁の側面や下面の設備を点検する装置として、上端に撮影機を取り付けたロッドと、モニターを備えたコンピュータとを通信ケーブルにより接続し、ロッド上端の撮影機を橋梁の下面や側面に近づけて撮影すると共に手元のコンピュータにおけるモニターに橋梁の下面や側面を映し出して確認する点検装置が使用されている。この作業においては、足場が悪い場所では点検作業が困難となり、また、長尺のロッドを垂直に持ちながらの作業となるため、かなりの重労働になっていた。
【０００３】
そこで、橋上の道路上から橋梁側面や下面の設備を点検する方法が採用されている。
【考案の概要】
【考案が解決しようとする課題】
【０００４】
しかしながら、橋上の道路上から橋梁側面や下面の設備を点検するには、上記のロッドを橋梁側面に出すために腕を伸ばしたり、身体を欄干から乗り出したりの作業をしなければならないのが現状である。このような作業においては、上記のロッドが橋下に落下したり、身体ごと橋下に落下するような危険性も考えられる。また、腕を伸ばしながら長尺のロッドを持ちながら操作作業をすれば、腕の筋肉疲労や握力低下によりロッドを橋下に落下させてしまうおそれがあり、橋梁長が長いと作業時間も長くなるのでかなりの重労働となる。
【０００５】
そこで本考案者は、鋭意研究を重ね、作業者の疲労度を低減し、安全性の高い橋梁点検装置を案出した。
【課題を解決するための手段】
【０００６】
本考案に係る橋梁点検装置は、装置本体と点検器具とモニターとからなり、装置本体は、２本の垂直支柱と、垂直支柱を掛け渡して設置した水平ロッドとを備え、点検器具は、操作棒と、その先端に取り付けた撮影機とを備え、装置本体における水平ロッドに点検器具における操作棒が垂直方向に取り付けられ、モニターと撮影機とを接続する通信ケーブルを備えてなることを特徴とするものである。
【０００７】
上記の構成において、装置本体は、前記２本の垂直支柱を設置する台車を備えてなる構成としてもよい。
【０００８】
また、上記の構成において、装置本体における２本の垂直支柱が伸縮自在である構成としてもよい。
【０００９】
さらに、上記の構成において、装置本体における水平ロッドが伸縮自在である構成としてもよい。
【００１０】
さらにまた、上記の構成において、モニターを装置本体に取り付けてなる構成としてもよい。
【００１１】
また、上記の構成において、装置本体と点検器具とを落下防止ケーブルにて連結してなる構成としてもよい。
【００１２】
さらに、上記の構成において、点検器具は、撮影機の撮影方向を照射する照明装置を備えてなる構成としてもよい。
【００１３】
さらにまた、上記の構成において、点検器具は、操作棒が伸縮自在であり、その先端に遠隔操作により屈曲自在なフレキシブル管を介して撮影機を取り付けてなる構成としてもよい。
【考案の効果】
【００１４】
本考案に係る橋梁点検装置を上記のように構成したことにより、操作棒と、その先端に取り付けた撮影機とを備えた点検器具が、装置本体における２本の垂直支柱と、垂直支柱を掛け渡して設置した水平ロッドに取り付けられるため、点検器具を構成する操作棒を手に持つ必要がないので、作業者の負担が軽減される。また、水平ロッドにより橋の欄干を跨いで点検装置を橋下に垂下させることができるため、作業者が欄干の外に身を乗り出す必要がないので、落下の危険性がなくなる。したがって、点検作業に労働負荷が掛からず、容易にかつ安全に点検作業を行うことができるので、作業効率が大幅に向上する利点がある。
【図面の簡単な説明】
【００１５】
【図１】本考案の実施例に係る橋梁点検装置を模式的に表した側面図である。
【図２】本考案の実施例に係る橋梁点検装置を模式的に表した点検器具を除く背面図である。
【図３】本考案の実施例に係る橋梁点検装置の使用状態を模式的に表した側面図である。
【実施例１】
【００１６】
本考案に係る橋梁点検装置Ａは、図１及び図２に示されるように、主として装置本体１０と点検器具２０とモニター３０とから構成される。
【００１７】
装置本体１０は、台車１４に設置された２本の垂直支柱１１、１２と、垂直支柱１１、１２を掛け渡して設置した水平ロッド１３とを備えて構成されている。
【００１８】
そして、前記２本の垂直支柱１１、１２は、垂直方向に伸縮可能なように互いにスライドする主軸１１ａ、１２ａとスライド軸１１ｂ、１２ｂとにより構成されており、主軸１１ａ、１２ａに対してスライド軸１１ｂ、１２ｂを垂直方向に上下させることにより水平ロッド１３の高さ調節が可能になっている。
【００１９】
一方、水平ロッド１３は、２本の垂直支柱１１、１２と連結される連結部材１３ａ、１３ｂによりスライド可能になっており、水平ロッド１３を張り出す長さを調節することができるようになっている。もちろん、水平ロッド１３についてさらに長尺のものを使用したり、伸縮可能なロッドを使用すれば、張り出す長さをさらに長くすることが可能である。
【００２０】
上記２本の垂直支柱１１、１２は、その主軸１１ａ、１２ａを掛け渡すように棚１６が設置されており、この棚１６上にモニター３０が載置される。
【００２１】
点検器具２０は、装置本体１０における水平ロッド１３に対して、垂直方向に取り付けた操作棒２１と、その先端に遠隔操作により屈曲自在なフレキシブル管２４を介して取り付けた撮影機２２及び照明装置２３とを備えて構成されている。前記操作棒２１は、外筒２１ａと複数の内筒２１ｂとからなる振り出し式に構成されており、適宜の長さに調節することができる。撮影機２２としては、ＣＣＤカメラやデジタルカメラ等の静止画や動画を撮影する機能を有する撮影機が使用される。
【００２２】
前記撮影機２２は、モニター３０と通信ケーブル３１により電気接続されており、撮影機２２より撮影された点検個所の撮影画像がモニター３０に電送され、モニター３０により点検個所の状態を確認することができる。また、撮影機２２の近くに設けた照明装置２３は、撮影機２２による撮影状態を良好なものとするため、撮影機２２の撮影方向を照射するように構成されている。なお、モニター３０には、不図示の操作装置が接続されており、該操作装置により撮影機２２、照明装置２３及びフレシキブル管を操作する。
【００２３】
また、点検器具２０は、橋下に落下するのを防止するために、落下防止ケーブル１５を介して装置本体１０に連結されている。
【００２４】
そして、本実施例における橋梁点検装置Ａは、図３に示すように、橋上の歩道Ｂ１等の道路上に装置本体１０を設置し、水平ロッド１３を水平に伸ばして欄干Ｃを越えさせ、操作棒２１を垂直下方に伸ばすことにより、橋梁Ｂの下部側面に設置された配管等Ｂ２を撮影機２２により撮影することが可能となる。この撮影機２２により撮影された撮影画像は、道路上で作業を行っている作業者により容易に点検確認ができる。また、装置本体１０は台車１４を備えているため、橋梁長が長くても道路上を容易に移動できるので、点検確認作業がさらに容易となる。このように、本実施例に係る橋梁点検装置Ａは、道路上から、労働負荷がなく容易に、かつ、安全に点検作業を行うことができるので、作業効率を高める利点がある。
【００２５】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００２６】
Ａ………橋梁点検装置
Ｂ………橋梁
Ｂ１……歩道
Ｂ２……橋梁下部側面に設置された配管等
Ｃ………欄干
１０……装置本体
１１……垂直支柱
１１ａ…主軸
１１ｂ…スライド軸
１２……垂直支柱
１２ａ…主軸
１２ｂ…スライド軸
１３……水平ロッド
１３ａ…連結部材
１３ｂ…連結部材
１４……台車
１５……落下防止ケーブル
１６……棚
２０……点検器具
２１……操作棒
２１ａ…外筒
２１ｂ…内筒
２２……撮影機
２３……照明装置
２４……フレキシブル管
３０……モニター
３１……通信ケーブル
【図１】
0003194401.tif 000003
【図２】
0003194401.tif 000004
【図３】
0003194401.tif 000005